(57)【要約】【課題】  カメラの配置に際して、監視カメラシステムの管理者の判断や操作を必要とせず、撮影対象の状況の変化にフレキシブルに対応することができる監視カメラシステムを提供すること。【解決手段】  店舗内に配置する複数のカメラからなるカメラ群１０１Ａと、商品の精算を行うＰＯＳレジスタ１０７Ａとからシステムを構成し、ＰＯＳレジスタ１０７Ａにて配分したカメラの監視位置をもとに、カメラ側表示部１０５にカメラを新たな監視位置へ移動を促すための静止画データを表示する。【選択図】  図１
2005286619.tif 000002
【特許請求の範囲】
【請求項１】
監視対象を撮像する少なくとも一つの撮像手段と、
前記各撮像手段が撮影した映像を表示する表示手段と、
前記各撮像手段の撮影対象に関する情報を管理する情報管理手段と、
前記情報管理手段で管理された情報に基づいて、前記各撮像手段を該情報に対応して分けられた複数の監視位置のいずれに配置するかを決定する配置決定手段と、
前記配置決定手段により決定された配置先への前記撮像手段の移動を促すための移動情報を通知する情報通知手段とを備え、
前記配置決定手段にて配置先が決定された各撮像手段が、前記移動情報に基づいて、前記複数の監視位置のいずれかに配置されてなるものとした、  
ことを特徴とする監視カメラシステム。
【請求項２】
請求項１に記載の監視カメラシステムにおいて、
前記情報通知手段は、前記移動情報を前記撮像手段に通知するものであり、
前記撮像手段は、前記情報通知手段からの移動情報を出力するデータ出力部を備え、
前記データ出力部にて出力された移動情報に基づいて、利用者により前記各撮像手段を所要の監視位置に配置する、
ことを特徴とする監視カメラシステム。
【請求項３】
請求項２に記載の監視カメラシステムにおいて、
前記情報通知手段が通知する前記移動情報は映像データであり、
前記撮像手段は、前記データ出力部として、前記映像データを表示するモニタを備え、
前記モニタにて表示された映像データに基づいて、利用者により前記各撮像手段を所要の監視位置に配置する、
ことを特徴とする監視カメラシステム。
【請求項４】
請求項２に記載の監視カメラシステムにおいて、
前記情報通知手段が通知する前記移動情報は音データであり、
前記撮像手段は、前記データ出力部として、前記音データを出力するスピーカを備え、
前記スピーカにて出力された音データに基づいて、利用者により前記各撮像手段を所要の監視位置に配置する、
ことを特徴とする監視カメラシステム。
【請求項５】
請求項２に記載の監視カメラシステムにおいて、
前記情報通知手段が通知する前記移動情報は発光体を発光させるためのデータであり、
前記撮像手段は、前記データ出力部として、前記データにより発光する発光体を備え、
前記発光体にて発光されたデータに基づいて、利用者により前記各撮像手段を所要の監視位置に配置する、
ことを特徴とする監視カメラシステム。
【請求項６】
請求項１ないし５のいずれかに記載の監視カメラシステムにおいて、
前記撮像手段は、撮影対象に付与された識別子を読み取り可能で、かつ該読み取った識別子を前記情報管理手段に送信可能な識別子読み取り手段を備え、
前記情報管理手段は、前記撮像手段から受信した識別子に基づいて該撮像手段の監視位置を特定する、
ことを特徴とする監視カメラシステム。
【請求項７】
請求項６に記載の監視カメラシステムにおいて、
前記情報管理手段は、前記撮像手段から受信した識別子より特定した該撮像手段の監視位置を基に、前記表示手段における監視映像の表示を変更する表示制御手段を備えた、
ことを特徴とする監視カメラシステム。
【請求項８】
請求項６または７に記載の監視カメラシステムにおいて、
前記識別子はバーコードである、
ことを特徴とする監視カメラシステム。
【請求項９】
請求項１に記載の監視カメラシステムにおいて、
前記撮像手段を移動させる駆動手段と、
前記駆動手段のガイドとなるガイド部とをさらに備え、
前記駆動手段は、前記情報通知手段の移動情報に基づいて駆動する、
ことを特徴とする監視カメラシステム。
【請求項１０】
請求項１ないし９のいずれかに記載の監視カメラシステムにおいて、
前記情報管理手段はＰＯＳ（Point Of Sales）端末である、
ことを特徴とする監視カメラシステム。
【請求項１１】
請求項１０に記載の監視カメラシステムにおいて、
前記表示手段で表示する映像データは、前記ＰＯＳ端末の有する表示器に表示されるものである、
ことを特徴とする監視カメラシステム。
【発明の詳細な説明】
【技術分野】
【０００１】
本発明は監視カメラシステムに関する。
【背景技術】
【０００２】
最近の社会不安を反映し、監視カメラシステムの需要が広がっている。特に、コンビニエンスストアやスーパーマーケットでは、防犯、保安のため監視カメラシステムを設置する店舗が増えてきている。
【０００３】
基本的な監視カメラシステムは、監視映像を撮影するカメラと、カメラが撮影した映像をモニタリングするモニタとから構成される。カメラを複数設置する場合には、映像を分割表示する他、シーケンシャルに各カメラの映像の切り換えを行うスイッチャーが用いられる。また、アナログテープ、ハードディスク、記録型ＤＶＤ等の記録媒体を使った記憶装置を有するシステムも増えてきている。特に、記憶装置を備える監視カメラシステムでは、記録した映像データを有事の際の証拠として活用することが可能である。記録した映像データを後で視聴して確認することもできるため、モニタを常時見る必要がなく、専任の監視員を設けることの難しい小店舗にとっては効果が高い。
【０００４】
これに加え、コンビニエンスストアやスーパーマーケットではPOS（Point of Sales）システムも広く導入されている。POSシステムは、従来のキー入力による方式ではなく、商品情報の自動読み取り方式レジにより、単品別に販売情報や仕入、配送などの活動で発生する各種情報をコンピュータで管理するシステムである。このPOSシステムによれば、商品に付与されたバーコードをバーコードリーダーで読み取ることにより商品を特定して、顧客が支払う金額の合計を素早く求めることができる。また、キーボード等の入力手段から、商品を購入した顧客の年齢層や性別を入力し、単品別にどのような年齢層/性別の顧客が商品を購入しているのかといったマーケティング情報を収集することができる。
【０００５】
ところで、これらのシステムは従来別々に運用されていたが、昨今ではこれらシステムを融合するような技術も公開されている。
例えば、レジ用表示器の画面を利用してカメラの映像を表示する装置が公開されている（特許文献１参照）。この装置によれば、専任の監視員を要することがなく、人員の限られた店舗に好適である。さらに、監視のために専用のモニタを設置する必要がなく、省スペース化を実現する。
【０００６】
また、店舗内に配置されたカメラにより撮影される映像を利用したセキュリティシステムが公開されている（特許文献２参照）。このシステムによれば、カメラにより顧客の顔を撮影し、その画像データを売上データと共に記録するので、マーケティング情報に顧客の顔を含めることができる。従って、各商品のシェアや売上高等のマーケティング情報において、単に性別や年齢層のデータだけではなく顧客の顔をリアルに見ることができ、販売促進やマーケティング戦略に利用できる。さらに、顧客の画像データと売上データが共に記録されているので、記録された監視映像データの中から、特定の人物だけを検索して再生することが可能になると類推される。例えば、「○月×日に△を買った人物」といった検索式で、該当する人物が撮影された映像データの時間やファイル名を特定し、一覧表示して再生することも可能であると考えられる。
【特許文献１】特開２０００−７６５４６号公報
【特許文献２】特開２００１−１１８１４６号公報
【発明の開示】
【発明が解決しようとする課題】
【０００７】
しかしながら、これらのように開示されている装置およびシステムであっても、カメラの配置に関しては、あいかわらず監視カメラシステムの管理者（店長や業者）の判断に委ねられているのが現状である。
【０００８】
管理者は監視カメラシステムの導入時、限られた台数のカメラを、死角や重点監視ポイントといったことを考慮して設置する。一旦設置されたカメラはその場所から動くことなくモニタ側に映像を送りつづける。しかし、売り場の状況は時事刻々と変化するものである。例えば、一日のうちでも朝と夜では客層が違う場合がある。曜日、月といった時間の単位でも同じことがいえる。客層が変化すれば、店舗内で人が集まる場所が変わる場合がある。例えば、学生ばかり来店するような時間帯があれば、学生が好む商品の売り場近辺に人が集まる可能性が高い。また、時間帯によるものばかりではなく、仕入れた商品、天候等の条件により客層や客数が変化することがある。さらには突発的に万引きの多発する商品が発生する場合もある。
【０００９】
このような売り場の状況の変化に対して、カメラの位置や撮影方向をフレキシブルに変更することにより、より監視カメラシステムを活用することができると考えられる。例えば、男性ばかりが来店する時間帯には、男性が好む商品や男性専用の商品が陳列された売り場付近にカメラを配置して、その売り場付近を重点的に監視することにより、防犯効果を高めることが可能である。また、マーケティング戦略の一環として、新商品付近を重点的に監視を行い、新たに投入した新商品に対する顧客の反応を確認するといった活用方法もある。
【００１０】
しかし、現状ではカメラの配置を適切に決めることができるのは、管理者（または経験の豊かな店員）であり、一般の店員が繁忙な業務の中で、カメラを適切な監視位置に配置することは困難であった。従って、管理者の不在時や、繁忙な時間帯にカメラの配置を変更することは現実的ではなく、売り場の状況の変化に対して対応できていなかった。このことは、駆動手段を用いてカメラを移動可能な監視カメラシステムであっても同様である。
【００１１】
本発明は、前記従来の課題を解決するもので、カメラの配置に際して、当該監視カメラシステムの管理者の判断や操作を必要とせず、撮影対象の状況の変化にフレキシブルに対応することができる監視カメラシステムを提供することを目的とする。
【課題を解決するための手段】
【００１２】
前記従来の課題を解決するために、本発明の請求項１に係る監視カメラシステムは、監視対象を撮像する少なくとも一つの撮像手段と、前記各撮像手段が撮影した映像を表示する表示手段と、前記各撮像手段の撮影対象に関する情報を管理する情報管理手段と、前記情報管理手段で管理された情報に基づいて、前記各撮像手段を該情報に対応して分けられた複数の監視位置のいずれに配置するかを決定する配置決定手段と、前記配置決定手段により決定された配置先への前記撮像手段の移動を促すための移動情報を通知する情報通知手段とを備え、前記配置決定手段にて配置先が決定された各撮像手段が、前記移動情報に基づいて、前記複数の監視位置のいずれかに配置されてなるものとしたものである。
これにより、カメラの配置に際して、当該監視カメラシステムの管理者の判断や操作を必要とせず、撮影対象の状況の変化にフレキシブルに対応することができる監視カメラシステムを提供することができる。
【００１３】
また、本発明の請求項２に係る監視カメラシステムは、請求項１に記載の監視カメラシステムにおいて、前記情報通知手段は、前記移動情報を前記撮像手段に通知するものであり、前記撮像手段は、前記情報通知手段からの移動情報を出力するデータ出力部を備え、前記データ出力部にて出力された移動情報に基づいて、利用者により前記各撮像手段を所要の監視位置に配置するものである。
これにより、当該監視カメラシステムの管理者の判断や操作を必要とせず、撮像手段に示された移動情報に基づいて、該撮像手段を所要の監視位置に配置でき、撮影対象の状況の変化にフレキシブルに対応することができる。
【００１４】
また、本発明の請求項３に係る監視カメラシステムは、請求項２に記載の監視カメラシステムにおいて、前記情報通知手段が通知する前記移動情報は映像データであり、前記撮像手段は、前記データ出力部として、前記映像データを表示するモニタを備え、前記モニタにて表示された映像データに基づいて、利用者により前記各撮像手段を所要の監視位置に配置するものである。
これにより、当該監視カメラシステムの管理者の判断や操作を必要とせず、撮像手段のモニタに表示された映像データに基づいて、該撮像手段を所要の監視位置に配置でき、撮影対象の状況の変化にフレキシブルに対応することができる。
【００１５】
また、本発明の請求項４に係る監視カメラシステムは、請求項２に記載の監視カメラシステムにおいて、前記情報通知手段が通知する前記移動情報は音データであり、前記撮像手段は、前記データ出力部として、前記音データを出力するスピーカを備え、前記スピーカにて出力された音データに基づいて、利用者により前記各撮像手段を所要の監視位置に配置するものである。
これにより、当該監視カメラシステムの管理者の判断や操作を必要とせず、撮像手段のスピーカから出力された音データに基づいて、該撮像手段を所要の監視位置に配置でき、撮影対象の状況の変化にフレキシブルに対応することができる。
【００１６】
また、本発明の請求項５に係る監視カメラシステムは、請求項２に記載の監視カメラシステムにおいて、前記情報通知手段が通知する前記移動情報は発光体を発光させるためのデータであり、前記撮像手段は、前記データ出力部として、前記データにより発光する発光体を備え、前記発光体にて発光されたデータに基づいて、利用者により前記各撮像手段を所要の監視位置に配置するものである。
これにより、当該監視カメラシステムの管理者の判断や操作を必要とせず、撮像手段の発光体に表示されたデータに基づいて、該撮像手段を所要の監視位置に配置でき、撮影対象の状況の変化にフレキシブルに対応することができる。
【００１７】
また、本発明の請求項６に係る監視カメラシステムは、請求項１ないし５のいずれかに記載の監視カメラシステムにおいて、前記撮像手段は、撮影対象に付与された識別子を読み取り可能で、かつ該読み取った識別子を前記情報管理手段に送信可能な識別子読み取り手段を備え、前記情報管理手段は、前記撮像手段から受信した識別子に基づいて該撮像手段の監視位置を特定するものである。
これにより、撮像手段が移動された後、該撮像手段が正しく配置されたか否かを情報管理手段で確認することができる。
【００１８】
また、本発明の請求項７に係る監視カメラシステムは、請求項６に記載の監視カメラシステムにおいて、前記情報管理手段は、前記撮像手段から受信した識別子より特定した該撮像手段の監視位置を基に、前記表示手段における監視映像の表示を変更する表示制御手段を備えたものである。
これにより、各撮像手段の監視位置に対応して表示位置や表示色を変更可能としたので、各撮像手段からの映像データを最適化して表示することができる。
【００１９】
また、本発明の請求項８に係る監視カメラシステムは、請求項６または７に記載の監視カメラシステムにおいて、前記識別子はバーコードであるものとしたものである。
これにより、商品に付与されたバーコードを用いることができる。
【００２０】
また、本発明の請求項９に係る監視カメラシステムは、請求項１に記載の監視カメラシステムにおいて、前記撮像手段を移動させる駆動手段と、前記駆動手段のガイドとなるガイド部とをさらに備え、前記駆動手段は、前記情報通知手段の移動情報に基づいて駆動するものである。
これにより、撮像手段を自動的に所要の監視位置に配置することができる。
【００２１】
また、本発明の請求項１０に係る監視カメラシステムは、請求項１ないし５のいずれかに記載の監視カメラシステムにおいて、前記情報管理手段はＰＯＳ（Point Of Sales）端末であるものとしたものである。
これにより、ＰＯＳシステムにて収集されたマーケティング情報に基づいて、監視カメラの配置を決定することができる。
【００２２】
また、本発明の請求項１１に係る監視カメラシステムは、請求項１０に記載の監視カメラシステムにおいて、前記表示手段で表示する映像データは、前記ＰＯＳ端末の有する表示器に表示されるものであるものとしたものである。
これにより、マーケティング情報の管理とともに、監視映像を見ることができるので、専任の監視員を要することなく、人員の限られた店舗に好適な監視カメラシステムを提供することができる。
【発明の効果】
【００２３】
本発明の請求項１に係る監視カメラシステムによれば、監視対象を撮像する少なくとも一つの撮像手段と、前記各撮像手段が撮影した映像を表示する表示手段と、前記各撮像手段の撮影対象に関する情報を管理する情報管理手段と、前記情報管理手段で管理された情報に基づいて、前記各撮像手段を該情報に対応して分けられた複数の監視位置のいずれに配置するかを決定する配置決定手段と、前記配置決定手段により決定された配置先への前記撮像手段の移動を促すための移動情報を通知する情報通知手段とを備え、前記配置決定手段にて配置先が決定された各撮像手段が、前記移動情報に基づいて、前記複数の監視位置のいずれかに配置されてなるものとしたので、カメラの配置に際して、当該監視カメラシステムの管理者の判断や操作を必要とせず、撮影対象の状況の変化にフレキシブルに対応することができる監視カメラシステムを提供することができる効果がある。
【００２４】
また、本発明の請求項２に係る監視カメラシステムによれば、請求項１に記載の監視カメラシステムにおいて、前記情報通知手段は、前記移動情報を前記撮像手段に通知するものであり、前記撮像手段は、前記情報通知手段からの移動情報を出力するデータ出力部を備え、前記データ出力部にて出力された移動情報に基づいて、利用者により前記各撮像手段を所要の監視位置に配置するので、当該監視カメラシステムの管理者の判断や操作を必要とせず、撮像手段に示された移動情報に基づいて、該撮像手段を所要の監視位置に配置でき、撮影対象の状況の変化にフレキシブルに対応することができる効果がある。
【００２５】
また、本発明の請求項３に係る監視カメラシステムによれば、請求項２に記載の監視カメラシステムにおいて、前記情報通知手段が通知する前記移動情報は映像データであり、前記撮像手段は、前記データ出力部として、前記映像データを表示するモニタを備え、前記モニタにて表示された映像データに基づいて、利用者により前記各撮像手段を所要の監視位置に配置するので、当該監視カメラシステムの管理者の判断や操作を必要とせず、撮像手段のモニタに表示された映像データに基づいて、該撮像手段を所要の監視位置に配置でき、撮影対象の状況の変化にフレキシブルに対応することができる効果がある。
【００２６】
また、本発明の請求項４に係る監視カメラシステムによれば、請求項２に記載の監視カメラシステムにおいて、前記情報通知手段が通知する前記移動情報は音データであり、前記撮像手段は、前記データ出力部として、前記音データを出力するスピーカを備え、前記スピーカにて出力された音データに基づいて、利用者により前記各撮像手段を所要の監視位置に配置するので、当該監視カメラシステムの管理者の判断や操作を必要とせず、撮像手段のスピーカから出力された音データに基づいて、該撮像手段を所要の監視位置に配置でき、撮影対象の状況の変化にフレキシブルに対応することができる効果がある。
【００２７】
また、本発明の請求項５に係る監視カメラシステムによれば、請求項２に記載の監視カメラシステムにおいて、前記情報通知手段が通知する前記移動情報は発光体を発光させるためのデータであり、前記撮像手段は、前記データ出力部として、前記データにより発光する発光体を備え、前記発光体にて発光されたデータに基づいて、利用者により前記各撮像手段を所要の監視位置に配置するので、当該監視カメラシステムの管理者の判断や操作を必要とせず、撮像手段の発光体に表示されたデータに基づいて、該撮像手段を所要の監視位置に配置でき、撮影対象の状況の変化にフレキシブルに対応することができる効果がある。
【００２８】
また、本発明の請求項６に係る監視カメラシステムによれば、請求項１ないし５のいずれかに記載の監視カメラシステムにおいて、前記撮像手段は、撮影対象に付与された識別子を読み取り可能で、かつ該読み取った識別子を前記情報管理手段に送信可能な識別子読み取り手段を備え、前記情報管理手段は、前記撮像手段から受信した識別子に基づいて該撮像手段の監視位置を特定するので、撮像手段を移動した後、該撮像手段が所要の監視位置に配置されたか否かを情報管理手段で確認することができる効果がある。
【００２９】
また、本発明の請求項７に係る監視カメラシステムによれば、請求項６に記載の監視カメラシステムにおいて、前記情報管理手段は、前記撮像手段から受信した識別子より特定した該撮像手段の監視位置を基に、前記表示手段における監視映像の表示を変更する表示制御手段を備えたので、各撮像手段の監視位置に対応して表示位置や表示色を変更することにより、各撮像手段からの映像データを最適化して表示することができる効果がある。
【００３０】
また、本発明の請求項８に係る監視カメラシステムによれば、請求項６または７に記載の監視カメラシステムにおいて、前記識別子はバーコードであるので、商品に付与されたバーコードを用いて撮像手段の監視位置を確認することができる効果がある。
【００３１】
また、本発明の請求項９に係る監視カメラシステムによれば、請求項１に記載の監視カメラシステムにおいて、前記撮像手段を移動させる駆動手段と、前記駆動手段のガイドとなるガイド部とをさらに備え、前記駆動手段は、前記情報通知手段の移動情報に基づいて駆動するので、撮影対象の状況に応じて、撮像手段を自動的に所要の監視位置に配置することができる効果がある。
【００３２】
また、本発明の請求項１０に係る監視カメラシステムによれば、請求項１ないし５のいずれかに記載の監視カメラシステムにおいて、前記情報管理手段はＰＯＳ（Point Of Sales）端末であるので、ＰＯＳシステムにて収集されたマーケティング情報に基づいて、監視カメラの配置を決定することができる効果がある。
【００３３】
また、本発明の請求項１１に係る監視カメラシステムによれば、請求項１０に記載の監視カメラシステムにおいて、前記表示手段で表示する映像データは、前記ＰＯＳ端末の有する表示器に表示されるものであるので、マーケティング情報の管理とともに、監視映像を見ることができ、専任の監視員を要することなく、人員の限られた店舗に好適な監視カメラシステムを提供することができる効果がある。
【発明を実施するための最良の形態】
【００３４】
以下に、本発明の監視カメラシステムの実施の形態を図面とともに詳細に説明する。
（実施の形態１）
まず、本発明に係る監視カメラシステムを第１の実施の形態として、図面を参照しつつ説明する。図１は本実施の形態１に係る監視カメラシステム１００Ａの構成を示す図である。
【００３５】
図において、監視カメラシステム１００Ａは、大きくはカメラ群１０１ＡとＰＯＳレジスタ１０７Ａとから構成される。カメラ群１０１Ａは店舗内に設置され、撮影対象を撮像して映像データを出力するカメラ１０２が複数集まっている。撮影対象は、商品やその付近、通路、店舗の出入り口など様々である。なお、カメラ１０２の台数は、店舗の規模、店員の監視が行き届かない死角の多さ、扱う商品の種別、予算等の条件により必然的に決まる台数であって、限定されるものではない。但し、台数が多いほど死角の数が減ることはいうまでもない。
【００３６】
そして、カメラ群１０１Ａの各カメラ１０２は１０３〜１０６の構成要素を有している。
カメラ側アンテナ１０３はＰＯＳレジスタ１０７Ａ側と無線通信を行うためのアンテナである。カメラは、カメラ側アンテナ１０３を介して後述するＰＯＳレジスタ１０７Ａと無線通信を確立し、主に監視映像データの送信を行う。データ送信時には図示しない内部メモリに格納した映像データを、ＭＡＣ（Media Access Control）部でパケット化し、変復調部を経由してカメラ側アンテナ１０３から送り出す。カメラ１０２の制御情報等のデータ受信時には、カメラ側アンテナ１０３を介してデータを受信し、内部の変復調部でベースバンド信号に変換し、ＭＡＣ部に入力する。ＭＡＣ部ではパケットを識別して内部メモリにデータを格納する。本実施の形態における無線通信の接続方法は、ＩＥＥＥ８０２．１１で規定される通信方法であるとするが、必ずしもこれに限定されるものではない。
【００３７】
撮像部１０４は撮像レンズと、図示しない光学系、ＣＣＤ（Charge Coupled Device）、電子回路（ＣＣＤ駆動回路、信号処理回路、等）とから構成され、撮影対象の撮像を行う。撮像された映像信号は内部でＡ／Ｄ変換を行った後、圧縮処理が行われ、映像データとして内部メモリに蓄積される。蓄積された映像データは、所定のタイミングでＰＯＳレジスタ１０７Ａ側に送信される。なお、圧縮信号処理のフォーマットは動画用フォーマットであるＭＰＥＧ（Moving Picture Experts Group）とするが、これに限定されるものではなく、静止画用フォーマットであるＪＰＥＧ（Joint Photographic Experts Group）であっても良いし、他のフォーマットを用いても良い。
【００３８】
カメラ側表示部１０５はＰＯＳレジスタ１０７Ａから送信される、カメラの移動を促すための移動情報である静止画データを表示するＬＣＤ（Liquid Crystal Display）ディスプレイである。ここに表示する静止画データについては後述する。
【００３９】
カメラ取り付け台１０６はカメラを店舗内の所望する位置に取り付けるための台である。この台の底面にはマグネットが装着されており、店舗内に設置された鉄製の商品の陳列棚に取り付け可能である。なお、マグネット以外にも、粘着シート、マジックテープ、専用の固定具等で取り付け可能としてもよい。
【００４０】
このように構成されるカメラ１０２は、店員が持ち運ぶことにより、店舗内のあらゆる場所に移動することができる。なお、カメラ１０２の電源については専用のバッテリを内蔵するものとし、定期的にバッテリの交換や充電が行われるものとする。なお、電源はこれに限定されるものではなく、コンセントに差し込むＡＣアダプタを介して電力を供給する形態であっても良い。
【００４１】
一方、ＰＯＳレジスタ１０７Ａは、顧客が購入する商品の精算を行う他、商品売上、商品在庫の管理を行うための端末であり、１０８〜１１１の構成要素を有している。
【００４２】
ＰＯＳレジスタ側アンテナ１０８はカメラ１０２との無線通信に利用するためのアンテナである。無線通信に関する動作については前述のカメラ側アンテナ１０３と同様である。
【００４３】
ＰＯＳレジスタ表示部１０９は、商品の精算や売上の確認を行うためのＬＣＤディスプレイである。また、カメラから送信され、内部のＨＤＤ（Hard Disk Drive）に記録した映像データが再生される。なお、本実施の形態１ではＰＯＳレジスタ表示部１０９に監視映像を表示するものとしたが、映像データの再生に関しては、必ずしもＰＯＳレジスタ表示部１０９で表示する必要はない。例えば、別室に用意したモニタに対して出力する形態であっても良い。
【００４４】
キーボード１１０は、商品の精算を行う際に、各種情報の入力を行う入力装置として動作する。キーには「数字」キーを始め、「レシート紙送り」、「値引き」等の様々なキーがレイアウトされている。
【００４５】
バーコードリーダー１１１は、商品に付与されたバーコードを走査し、特定のコードに変換するための装置である。読み取り方式はいくつかの方式があるが、ＬＥＤを光源としてバーコードに照射し、その反射光をＣＣＤ（Charge Coupled Device）で受光するＣＣＤ方式とする。従って、内部には図示はしないＬＥＤ、ミラー、レンズ、ＣＣＤ、増幅器、ＣＰＵを含む。なお、読み取り方式はこれに限定されるものではなく、手動で走査を行うペン方式でも良いし、レーザー光を用いるレーザー方式であっても良い。また、図においてバーコードリーダー１１１は有線接続されているが、赤外線通信規格のＩｒＤＡ（Infrared Data Association）で無線接続さるものでも良い。また、図においてバーコードリーダー１１１は手持ちが可能なハンディタイプであるが、ＰＯＳレジスタ１０７Ａ本体に直接取り付けられるものであっても良い。
【００４６】
この他の構成要素として、レシートを印刷するレシートプリンタ、現金の保管、管理を行うキャッシュドロアー、顧客が精算時の合計金額を確認するための顧客用ディスプレイ等を含む。
【００４７】
以上のようにカメラ群１０１ＡとＰＯＳレジスタ１０７Ａとから構成された監視カメラシステム１００Ａについて、以下その動作、作用を説明する。
【００４８】
まずここで、本実施の形態で想定する監視カメラシステム１００Ａの配置例について図２の略式平面図を用いて説明する。図２において、店舗内の売り場に前述した構成のカメラ１０２が８台（＃１〜＃８）配置されている。各カメラは、死角や人通り等を考慮して、店舗内に均一に配置されている。また、説明のため男性専用陳列棚１１２と、女性専用陳列棚１１３を図示する。男性専用陳列棚１１２は、通常男性のみが購入する商品を陳列する棚である。例えば、商品としては男性用の化粧品、下着、医薬品、髭剃り、等があげられる。女性専用陳列棚１１３も男性専用陳列棚１１２と同様に、通常女性のみが購入する商品を陳列する棚である。以降では、この配置例をもとに説明を行う。
【００４９】
顧客は、同図のＰＯＳレジスタ１０７Ａにて精算を行う。顧客がＰＯＳレジスタ１０７Ａに商品を持ってくると、店員がバーコードリーダー１１１を用いて商品に付与されたバーコードを読み取る。ＰＯＳレジスタ１０７Ａは合計金額を求め、顧客用ディスプレイに表示する。合計金額の提示をうけ、顧客は料金を支払い、お釣りを受け取り一連の処理が終了する。ところで、ＰＯＳレジスタ１０７Ａではこの一連の処理の中で様々な顧客情報を収集することができる。
【００５０】
図３はキーボード１１０のキーレイアウトの一例を示す図である。男性用キー１２１は、顧客が男性である場合に押下する専用キーであり、表記されている数字は顧客の年齢層である。女性用キー１２２は同様に女性の顧客に対して設けられている専用キーである。
【００５１】
このようなキーをキーボード１１０に設けることにより、店員は顧客の性別、年齢層を見た目で判断し、入力することができる。例えば、学生風の男性が商品を購入した場合、精算の最後に男性用キー１２１の１０代あるいは２０代に該当するキーを押下する。この動作は精算の流れの中で行われるものであって、特に顧客に対して違和感を与えることなく、顧客に関するデータを入力することができる。また、店員が顧客の見た目で判断して入力するため、若干の誤差は生じるが、平均的には問題のないレベルとなる。なお、このキーレイアウトの例ではキーに年齢層を表す数字がプリントされているが、これに限定されるものではない。例えば年齢層を連想させるマークや色分け等で区別し、顧客に入力操作を見られても不快感を与えないようにすることが好ましい。また、キーボード１１０を専用のカバーで覆い、店員の手元を隠しても良い。
【００５２】
また、必ずしもキーボード１１０に専用キーを設ける必要はなく、ＰＯＳレジスタ表示部１０９に表示するＧＵＩ（Graphical User Interface）を操作して情報を入力するものでも良い。
【００５３】
店員が入力した顧客の情報は、ＰＯＳレジスタ１０７Ａ内部のＨＤＤに管理情報テーブルとして記憶される。図４はある時間の管理情報テーブルの一例を示す図である。
【００５４】
日時欄には、このテーブルが作成された年、月、日、曜日、時間帯が記述される。このテーブルの作成は様々なタイミングで行うことができるが、ここでは時間帯ごとに作成するとしている。例えば、１日を朝（６時〜１０時）、昼（１１時〜１５時）、夕（１６時〜１８時）、夜（１９時〜２３時）、深夜（２４時〜）というように、数時間ごとに時間を区切り、区切りの時間がくるとテーブルを新規に作成する。
【００５５】
日時欄の下には、顧客数、売上高、顧客単価が記述される。それぞれ、どれだけの顧客が買い物をしたのか、いくらの売上があったのか、客単価はいくらか、を示す数値である。また、これらの数値は前述の商品の精算において入力した顧客の情報（性別、年齢層）をもとに分類しているので、より詳細に顧客の動向を知ることができる。この管理テーブルの情報をもとに、ＰＯＳレジスタ１０７ＡはＰＯＳレジスタ表示部１０９上にグラフを表示する等して、顧客の性別、年齢層を把握し、商品の仕入れや陳列の参考にすることができる。
【００５６】
なお、管理情報テーブルの使用方法はこれに限定されるものではなく、店舗内の複数のＰＯＳレジスタを管理するストアコンピュータ側でこの管理情報テーブルをまとめ、商品の仕入れや在庫の管理を一元管理する本部に対して管理情報テーブルを送るものでも良い。
【００５７】
また、ここでは説明のため管理情報テーブルに含まれる情報は以上のものとしたが、実際にはバーコードリーダー１１１が読み込んで記録される商品ごとの分類、売上高、単価等の情報と結びつけて管理される。
【００５８】
次に情報管理テーブルの情報をもとに各カメラの監視位置を自動的に決定する配置決定手段、及び各カメラの移動を促す移動情報を通知する情報通知手段について説明する。
【００５９】
図５は、本発明の実施の形態１に係る監視カメラシステム１００Ａを説明するための概念図である。
【００６０】
図において、ＰＯＳレジスタ１０７Ａには、図４に示したような情報管理テーブルを基に、例えば、性別、年齢、客単価等のそれぞれに対応して分けられた監視位置（例えば性別の場合、男性と女性）のいずれにカメラ♯１〜カメラ♯８を配置するかを決定する配置決定手段５０１と、配置決定手段５０１にて、決定した配置先へのカメラの移動を促す移動情報を通知する情報通知手段５０２とが備えられている。
【００６１】
本実施の形態１において、情報通知手段５０２における移動情報の通知は、カメラ１０２に対して行うものとし、該移動情報は、ＰＯＳレジスタ１０７Ａの有するアンテナ１０８、及びカメラ１０２の有するアンテナ１０３を介してカメラ側表示部１０５に出力される。
【００６２】
次に、配置決定手段５０１でカメラの配置を決定する動作を説明する。
本実施の形態１において、配置決定手段５０１は、前記情報管理テーブルを基に分けられた監視位置毎にカメラ台数を配分することによって、各カメラがいずれの監視位置に配置されるかを決定するものとする。
【００６３】
まず、配置決定手段５０１にて監視位置毎にカメラの配分を行う場合には、あらかじめ監視カメラシステム１００Ａの管理者が図６に示すようなカメラの配分に関する設定を一度行う。
【００６４】
図６はＰＯＳレジスタ表示部１０９に出力されるカメラ配分設定メニューの一例を示す図である。配分方法６０１は図４で示した管理情報テーブルのいずれの情報に基づいてカメラの配分を行うかを設定する項目である。前述の例では、性別、年齢、客単価となる。この図では例として管理者が性別を選択したものとする。なお、その他にも、ＰＯＳレジスタ１０７Ａで管理し得る情報に基づいてカメラの配分を行うこともできる。例えば、人気商品、新商品、賞味期限、万引き多発商品、売り場、商品単価等である。
【００６５】
配分率６０３はカメラの配分を自動で行うか、手動で行うかを設定する項目である。自動に設定された場合、配分方法６０１に設定された方法で、自動的にカメラの配分が決定される。
この図では例として管理者が自動を選択したものとする。
【００６６】
配分結果６０３には、現在稼動しているカメラの台数（総カメラ台数６０４）と、棒グラフ６０５が表示される。総カメラ台数６０４は、ＰＯＳレジスタ１０７Ａと現在通信を確立しているカメラ群１０１Ａの台数である。配置決定手段５０１によるカメラの配分はこの総カメラ台数に対して行う。この図では、例として、図４で示した顧客の数に対して正比例的に配分している。男性に対するカメラの配分率は男性顧客数÷ 合計顧客数で求めることができ、求めた配分率を総カメラ台数６０４に乗じてカメラ台数を算出することができる。
【００６７】
なお、定常的に男性客の多い店では、常に男性に対してカメラが配分されてしまい、カメラの配置が偏りすぎる場合がある。そこで、顧客数にある一定の定数を乗じて配分するカメラ数の調整を行ってもよい。また、配分数の求め方は正比例関係を使う方法に限定されるものではなく、顧客の少ない売り場や人気のない商品売り場を重点的に監視すべく、反比例関係を用いても良い。定数や配分数の求め方については、配分方法６０１ごとに設定可能にすることが好ましい。
【００６８】
棒グラフ６０５は、配分方法６０１で選択した方法ごとに表示される配分結果であり、この図では、例として監視位置である男性、及び女性のそれぞれに対するカメラ配分結果をグラフと数値で表示している。この配分結果６０５は、配分率６０２を自動に設定している場合、図４で示した管理情報テーブルの変化に合わせて自動的に変化する。一方手動に設定している場合、管理者はスライダ６０６をスライドさせて手動でカメラの配分を決定する。この場合、一度配分が決定されると再び設定を行うまで配分結果が変化することはない。
【００６９】
以上のようにして配分されたカメラの配分結果はＰＯＳレジスタ１０７Ａの内部メモリで保持される。
【００７０】
次に、前述の配置決定手段５０１によるカメラの配分結果を元に、各カメラの移動を促すための移動情報を通知する動作について説明する。
【００７１】
各カメラ１０２とＰＯＳレジスタ１０７Ａは無線通信により情報のやりとりを行う。ここで、無線通信の方法について、図７を参照しつつ説明する。図７はＰＯＳレジスタ１０７Ａの構成をより詳細に示したブロック図である。
【００７２】
ＰＯＳレジスタ１０７ＡはＣＰＵ７０１がバスを介してＲＯＭ７０２に格納されたプログラムを実行し、映像データであるＭＰＥＧデータを伸張するためのＭＰＥＧ Ｄｅｃｏｄｅｒ７０５や前述した各構成要素を含む他のデバイスを、コントローラを介して制御するよう構成されている。
【００７３】
カメラとの通信開始時、ＣＰＵ７０１はカメラに対して通信を開始するよう変復調部やＭＡＣ部を含むブロックである無線ＬＡＮコントローラ７０３を制御する。無線ＬＡＮコントローラ７０３はＰＯＳレジスタ側アンテナ１０８を介してビーコン信号を周辺に送信する。ビーコン信号とは、無線ＬＡＮコントローラ７０３がカメラと通信を開始するために送信する信号で、無線ＬＡＮコントローラ７０３が管理するＭＡＣアドレスや、タイムスタンプ、送信間隔、ＳＳＩＤ（Service Set Identifier）、サポートしている転送速度等の情報が含まれる。このビーコン信号の到達距離は、ＰＯＳレジスタ１０７Ａの設置位置や、店舗内の障害物（人物や、陳列棚）等の状況で変化するが、ここでは少なくとも店舗内のカメラとの通信は可能であるとする。
【００７４】
カメラはビーコン信号を受信し、ＤＩＦＳ（Distributed Frame Space）の期間待機し、さらに乱数に従った時間（Random Back Off Time）待った後に、キャリアセンスを行う。チャンネルがアイドル状態であれば、パケットデータをＰＯＳレジスタ１０７Ａに送信する。無線ＬＡＮコントローラ７０３がこのパケットデータを受信すれば、カメラ１０２とＰＯＳレジスタ１０７Ａ間の通信が確立する。
【００７５】
通信が確立すると、各カメラ１０２は撮影した映像データを所定のタイミングでＰＯＳレジスタ１０７Ａに対して送信する。送信された映像データは一時ＲＡＭ７０４に保持され、所定のタイミングで記憶装置であるＨＤＤ７０６に記録される。
【００７６】
以上のようにカメラ１０２はＰＯＳレジスタ１０７Ａに対して無線通信により映像データの送信を行うが、ＰＯＳレジスタ１０７Ａは、前記配置決定手段５０１にて行ったカメラの配分においてカメラの配分結果が変化した場合には、情報通知手段５０２を用いてＰＯＳレジスタ１０７Ａからカメラ１０２に対して、カメラの移動を促すための移動情報である静止画データを送信し、カメラ１０２のカメラ側表示部１０５にて該静止画データを表示する。図８はＰＯＳレジスタ１０７Ａからカメラ１０２への静止画データ送信の手順を示すフローチャートである。
【００７７】
まず、カメラの配置に変更があるか否かを判断する（ステップＳ８０１）。この判断は、ＰＯＳレジスタ１０７Ａの内部メモリに保持された配分結果に変更があるか否かをポーリングによりチェックして行う。また、顧客の商品の精算終了時に情報管理テーブルが変化したときや、図６で示したメニューで設定を変更した場合等にもチェックする。
【００７８】
カメラ台数の配分に変更があった場合、静止画データをＲＡＭ７０４に読み出す（ステップＳ８０２）。このとき読み出す静止画データはあらかじめＲＯＭ７０２またはＨＤＤ７０６に格納されている静止画データである。この静止画データは、カメラの配分結果により決められた、新たなカメラの配置先である監視位置を店員に指示するデータである。図６で示した配分方法６０１に対応する枚数分読み出す。図６の例では配分方法６０１に例として性別が選択されているものとしたが、この場合、この静止画データは、監視位置である男性（売り場）と女性（売り場）とを示す合計２つの静止画データとなる。
【００７９】
図９にこの静止画データの例を示す。例１は「男性専用売り場に移動して下さい」と具体的な指示を出す文字列が描かれた静止画である。例２は男性を連想させるマークが描かれた静止画である。例３は男性専用売り場の商品（髭剃り）が描かれた静止画である。  
【００８０】
この他にも、商品の品番や、店員だけが理解することができる暗号、売り場番号等、カメラの新たな配置先が店員にとって明らかになるものであれば良い。なお、女性（売り場）に対する静止画も同様のものであるとする。
【００８１】
ＲＡＭ７０４に読み出されたデータは、無線ＬＡＮコントローラ７０３を介して各カメラに送信される（ステップＳ８０３）。そして、総カメラ台数分送信を繰り返すと、送信手順を終了する（ステップＳ８０４）。
このようにカメラに送信された静止画データは、カメラ側表示部１０５にて表示される。
【００８２】
図１０は静止画データ表示の一例を示す図である。
この図に示すように、同一の売り場に配置された２台のカメラの内、カメラ１０２ａは男性専用売り場を示すマークを表示し、カメラ１０２ｂは女性専用売り場を示すマークを表示している。商品の陳列、補充、掃除等でカメラの付近を通りかかった店員はこのマークを確認することにより、カメラが新たな監視位置に移動させる必要があることを知る。例えば、この例に示した商品陳列棚が女性専用売り場のものであれば、男性専用売り場を示すマークを表示しているカメラ１０２ａは、店員によって男性専用売り場の監視位置に移動されることになる。
【００８３】
結果として、カメラは店員によって最適に配置し直される。図１１はカメラの配置変更後の例を示す略式平面図である。図に示すように、図２に対して、カメラ＃７、カメラ＃８が店員によって移動され、男性専用売り場近辺に集まっている。
【００８４】
なお、本実施の形態１では通信の負荷が少なくて済むよう、ＰＯＳレジスタ１０７Ａからカメラ１０２に静止画データを送信するものとしたが、これに限定されるものではなく、動画データを送信してカメラ側で再生しても良い。また、必ずしもＰＯＳレジスタ１０７Ａ側で送信データを用意する必要はなく、あらかじめカメラの内部メモリ内に静止画データを用意し、ＰＯＳレジスタ１０７Ａからは静止画データを特定する番号、ファイル名、特定の識別子等だけを送るようにしても良い。
【００８５】
さらに、情報通知手段５０２からの移動情報を出力するデータ出力部として、カメラを図１２に示すような構成とし、音声や発光体のサインでカメラの移動先を通知するようにしても良い。カメラ１２０１はカメラ側表示部１０５の変わりに本体側面にスピーカ１２０２を備えた構成としたものである。ＰＯＳレジスタ１０７Ａは、前述の静止画データの変わりに、カメラの移動を促すための音声データを送信する。この音声データは、例えば「カメラを男性専用売り場に移動して下さい」といった具体的な指示の他、売り場番号や、商品名を店員に通知するものであっても良い。
【００８６】
また、カメラ１２０３には本体側面に複数のＬＥＤを用いた電光掲示板１２０４を備えた構成としたものである。ＰＯＳレジスタ１０７Ａは、前述の静止画データの変わりに、掲示板を発光させるためのデータを送信する。このデータは、例えば「３」といった売り場番号を示すキャラクタデータである。
【００８７】
なお、カメラは、静止画データ、音声データ、及びキャラクタデータを複合的に用いることが可能な構成としてもよい。例えば、静止画データを表示部で表示しつつ、音声データでも店員に通知を行えば、より効果的である。また、静止画データ、音声データ、キャラクタデータにより店員に移動を通知するタイミングは店員が所望するときのみ通知することが望ましい。例えば、人感センサーやモーションセンサー、または新たな専用のボタンにて、センサーの反応やボタン操作があったときだけ移動先を通知するようにしても良い。
【００８８】
また、各カメラに対して静止画データを送信するとともに、ＰＯＳレジスタ表示部１０９にカメラの配分に変更があったことを表示しても良い。
【００８９】
以上のように、本発明の実施の形態１に係る監視カメラシステムは、ＰＯＳレジスタ１０７Ａが管理する情報管理テーブルを基に、各監視位置毎にカメラの配分を求め、カメラに対して該配分結果に基づいた配置先への移動を促すための各種データを送信し、カメラではそのデータを基に店員に監視位置の移動を指示するようにしたので、店員は指示に従ってカメラを新たな監視位置に移動することが可能となり、監視カメラシステムの管理者の判断や操作を必要とせず、簡単に店舗内の売り場の変化に対応することのできる監視カメラシステムを提供することができる。
【００９０】
（実施の形態２）
本発明の実施の形態２に係る監視カメラシステムは、実施の形態１で説明したカメラの配置の決定後、正しい監視位置に各カメラが配置されたか否かを確認するために、各カメラにバーコード読み取り部を設け、ＰＯＳレジスタで各カメラからの商品情報を受信するようにしたものである。
【００９１】
図１３は、本実施の形態２における監視カメラシステム１３００Ｂのシステム構成を示す図であり、図１と同様の箇所は説明を省略する。
【００９２】
本実施の形態２において、実施の形態１の構成と異なる点は、カメラ１３０２がカメラの監視位置を特定するためのバーコード読み取り部１３０３を新たに設けていることである。バーコード読み取り部１３０３は、バーコードリーダー１１１と同様、店舗内の商品に付与されたバーコードを読み取り可能な、バーコードリーダーとして動作する。バーコード読み取り方式はバーコードリーダー１１１と同様、ＣＣＤ方式とするが、これに限定されるものではない。以上のように構成された監視カメラシステム１３００Ｂについて、以下その動作、作用を説明する。
【００９３】
まず、各カメラ１３０２が正しい配置先に配置されたかを店員が判断するための方法について説明する。店員は、前述の実施の形態で述べたように、カメラ側表示部１０５に表示された内容に従って、カメラを移動する。そして、新たな監視位置へカメラを配置する際、近くに陳列されている商品に付与されたバーコードを、バーコード読み取り部１３０３で読み取る。読み取られた商品情報（国コード、メーカーコード、商品コード等）は自動的にＰＯＳレジスタ１３０４Ｂに無線通信で送信される。
【００９４】
送信された商品情報は、ＰＯＳレジスタ１３０４Ｂ内部で処理される。図１４はＰＯＳレジスタ１３０４Ｂの処理手順を示すフローチャートである。まずＰＯＳレジスタ１３０４Ｂは、商品情報を送信したカメラの番号を特定する（ステップＳ１４０１）。この特定は、無線通信により送信されるカメラのＭＡＣアドレス、ＩＰアドレス等の識別子をもとに行う。また、カメラが送信するペイロード部分（映像データが格納される）にカメラ番号やその他識別子を含めて送信するものでも良い。
【００９５】
ステップＳ１４０１でカメラの番号が特定されると、そのカメラ番号に対応するカメラに対して、以前、店舗内のどの監視位置に配置することを指示したかを確認する（ステップＳ１４０２）。前述の実施の形態においては、男性（売り場）、女性（売り場）といった監視位置を示す静止画データをカメラに送信し、店員に該監視位置にカメラを移動するよう指示するとしたが、この際の静止画データの送信履歴を保持しておき、参照すれば良い。
【００９６】
次に、送信された商品情報から、商品を特定する（ステップＳ１４０３）。店舗内に陳列される商品には、個々に商品名、値段、分類、賞味期限といった情報がＰＯＳレジスタ１３０４Ｂ内で管理されている。従って、商品を特定することにより、カメラが現在どのような監視位置にあるのかを特定することができる。例えば、特定した商品が菓子類に分類されている場合、カメラは菓子売り場に移動したことになる。また、商品の値段によって「○○円台の商品売り場」といった場所の特定も可能となる。
【００９７】
このように商品情報から特定される監視位置と、以前に指示した監視位置とから、カメラが正しい監視位置に移動したか否かを判別する（ステップＳ１４０４）。例えば、特定された商品が「男性用髭剃り」で、指示した監視位置が男性専用売り場であれば、指示した通りの正しい監視位置に移動されたと判断することができる。
【００９８】
ステップＳ１４０４にて、正しい監視位置に移動した、と判断した場合には、そのカメラを移動済に設定しておく（ステップＳ１４０５）。この設定により、カメラの移動状況をＰＯＳレジスタ表示部１０６に表示することができる。また、店員がカメラ側表示部１０５に表示された静止画を見逃した場合や、業務が繁忙なためカメラを移動できない場合のため、所定の時間のタイムアウト値を設け、タイムアウト値に達した場合には音声や映像を使った「カメラが移動されていません」といった警告を出力しても良い。
【００９９】
また、ステップＳ１４０４にて、店員が間違った位置にカメラを移動した、と判断した場合には、音声や映像を使った「移動先が違います」といった警告メッセージを出力する（ステップＳ１４０６）。この警告メッセージは、カメラ側で出力しても良いし、ＰＯＳレジスタＢ側で出力しても良い。さらに、警告メッセージに続けて前述の静止画データを表示しても良い。
【０１００】
次に、特定したカメラの位置によりＰＯＳレジスタ表示部１０９に表示される映像データを最適化して表示する方法について説明する。なお、この映像データの表示の最適化は図７における表示部コントローラ７０８で行う。
【０１０１】
まず、管理者または店員は映像データを最適化して表示するための設定を行う。図１５はＰＯＳレジスタ表示部１０９に表示されるカメラ映像の表示設定メニューの一例を示す図である。
【０１０２】
最適化１５０１は、カメラの映像データを最適化して表示するか否かを設定する項目である。この図では例として管理者または店員が最適化１５０１項目をＯＮに設定したものとする。
【０１０３】
最適化方法１５０２は、カメラと結びついた商品情報のうち、いずれの情報を利用して映像データの表示を最適化するかを設定する項目である。この図では例として性別を選択している。なお、その他にも、ＰＯＳレジスタ１３０４Ｂで管理し得る情報を項目にすることができる。例えば、人気商品、新商品、賞味期限、万引き多発商品、売り場、商品単価等である。
【０１０４】
表示方法１５０３は、どのように映像データの表示を最適化するかを設定する項目である。この図では、例として並び替えを選択している。このような設定画面で入力された設定をもとに、カメラの映像データの表示位置を最適化する。図１６はＰＯＳレジスタ表示部１０９に表示された映像データの最適化の一例を示す図である。表示例１６０１は最適化を行う前の表示例である。斜線の矩形は男性専用売り場に配置されたカメラの映像で、他方は女性専用売り場に配置されたカメラの映像を示す。但し、説明のため売り場は男性専用売り場と女性専用売り場しか存在しないものとする。一般的な多画面表示では、このように各カメラ間の映像に関連性が無く、カメラ番号順等で表示されている。表示例１６０２は最適化を行った後の表示例である。前述のように特定されたカメラの配置をもとに、カメラの表示位置を最適化して表示している。この例では、表示方法１５０３で並べ替えが選択されているため、男性専用売り場に配置されているカメラから順に表示している。
【０１０５】
なお、バーコード読み取り部２０１が読み取るバーコードは商品に付与されたバーコードとしたが、必ずしもこれに限定されるものではない。例えば、商品の陳列棚等に専用のバーコードを付与するものでも良い。
【０１０６】
またカメラの場所を特定するために商品に付与されたバーコードを読み取るものとしたが、これに限定されるものではない。例えば、商品に非接触ＩＣチップを使った記憶媒体とアンテナを埋め込んだＲＦ（Radio Frequency）タグが付与されている場合、カメラにＲＦリーダを設けて商品情報を読み取るものでも良い。
【０１０７】
以上のような、本発明の実施の形態２に係る監視カメラシステムは、カメラにバーコード読み取り部を設け、カメラから該読み取ったバーコードによる商品情報をＰＯＳレジスタに送信し、ＰＯＳレジスタにて受信した商品情報から監視位置を特定するようにしたので、各カメラが正しく配置されたか否かを店員が確認することができる。
【０１０８】
また、表示部コントローラにて、カメラの配置に基づいて監視映像の表示を変更可能としたので、各カメラの映像データを最適化して表示することができる。
【０１０９】
（実施の形態３）
本発明の実施の形態３に係る監視カメラシステムは、実施の形態１、及び２においては、カメラの配置を決定した後、カメラに表示された情報によって、カメラを店員によって該決定した配置に移動させていたが、カメラに駆動手段を設けることによりカメラを自動的に移動させるようにしたものである。
【０１１０】
図１７は、本発明の実施の形態３における監視カメラシステム１７００Ｃのシステム構成を示す図であり、実施の形態１同様の部分は説明を省略する。
【０１１１】
実施の形態１の構成と異なる点は、カメラ１７０２に、カメラ側表示部１０５とカメラ取り付け台１０６の変わりに、カメラ駆動部１７０３と、カメラ駆動部１７０３のガイドであるレール１７０４を設けていることである。カメラ駆動部１７０３は、図に示すように、カメラをレール１７０４の上で移動可能とする。レール１７０４は店舗内の天井や側面、商品陳列棚に取り付けられている。
【０１１２】
前述のカメラの配置において、カメラの配置が変更された場合、ＰＯＳレジスタ１７０５Ｃは各カメラの駆動部１７０３に対して、新たな配置先に移動するよう移動情報を無線で通知する。通知を受けたカメラ駆動部は、カメラを新たな配置先に移動する。
【０１１３】
以上のように、本実施の形態３においては、カメラを移動させるカメラ駆動部を１７０３とカメラ駆動部１７０３の新たに設け、カメラの配分によって自動的にカメラを新たな監視位置に移動することが可能となる。
【産業上の利用可能性】
【０１１４】
本発明の監視システムによれば、カメラの配置に際して、監視カメラシステムの管理者の判断や操作を必要とせず、撮影対象の状況の変化にフレキシブルに対応することができる監視カメラシステムを提供することができるので、スーパーやコンビニエンスストア等の店舗用監視カメラシステムとして有用である。
【図面の簡単な説明】
【０１１５】
【図１】本発明の実施の形態１における監視カメラシステム１００Ａの構成を示す図
【図２】本発明の実施の形態１における監視カメラシステム１００Ａの配置例を示す図
【図３】ＰＯＳレジスタ１０７Ａが有するキーボード１１０のキーレイアウトの一例を示す図
【図４】ＰＯＳレジスタ１０７Ａにて管理される管理情報テーブルの一例を示す図
【図５】本発明の実施の形態１に係る監視カメラシステム１００Ａを説明するための概念図
【図６】カメラ配分設定メニューの一例を示す図
【図７】ＰＯＳレジスタ１０７Ａの構成を示すブロック図
【図８】ＰＯＳレジスタ１０７Ａからカメラ１０２への静止画データ送信の手順を示すフローチャート
【図９】静止画データの例を示す図
【図１０】静止画データ表示の一例を示す図
【図１１】配置変更後のカメラの配置例を示す略式平面図
【図１２】スピーカ、発光体を備えたカメラの一例を示す図
【図１３】本発明の実施の形態２における監視カメラシステム１３００Ｂの構成を示す図
【図１４】ＰＯＳレジスタ１３０４Ｂの処理手順を示すフローチャート
【図１５】表示設定メニューの一例を示す図
【図１６】映像データの最適化の一例を示す図
【図１７】本発明の実施の形態３における監視カメラシステム１７００Ｃの構成を示す図
【符号の説明】
【０１１６】
１００Ａ、１３００Ｂ、１７００Ｃ  監視カメラシステム
１０１Ａ、１３０１Ｂ、１７０１Ｃ  カメラ群
１０２、１０２ａ、１０２ｂ、１３０２、１７０２  カメラ
１０３  カメラ側アンテナ
１０４  撮像部
１０５  カメラ側表示部
１０６  カメラ取り付け台
１０７Ａ、１３０４Ｂ、１７０５Ｃ  ＰＯＳレジスタ
１０８  ＰＯＳレジスタ側アンテナ
１０９  ＰＯＳレジスタ表示部
１１０  キーボード
１１１  バーコードリーダー
１１２  男性専用陳列棚
１１３  女性専用陳列棚
１２１  男性用キー
１２２  女性用キー
５０１  配置決定手段
５０２  情報通知手段
６０１  配分方法
６０２  配分率
６０３  配分結果
６０４  総カメラ台数
６０５  棒グラフ
６０６  スライダ
７０１  ＣＰＵ
７０２  ＲＯＭ
７０３  無線ＬＡＮコントローラ
７０４  ＲＡＭ
７０５  ＭＰＥＧ  Ｄｅｃｏｄｅｒ
７０６  ＨＤＤ
７０７  ＨＤＤコントローラ
７０８  表示部コントローラ
１２０１  スピーカを備えた構成としたカメラ
１２０２  スピーカ
１２０３  電光掲示板を備えた構成としたカメラ
１２０４  電光掲示板
１３０３  バーコード読み取り部
１５０１  最適化
１５０２  最適化方法
１５０３  表示方法
１６０１  最適化前の表示例
１６０２  最適化後の表示例
１７０３  カメラ駆動部
１７０４  レール
【図１】
2005286619.tif 000003
【図２】
2005286619.tif 000004
【図３】
2005286619.tif 000005
【図４】
2005286619.tif 000006
【図５】
2005286619.tif 000007
【図６】
2005286619.tif 000008
【図７】
2005286619.tif 000009
【図８】
2005286619.tif 000010
【図９】
2005286619.tif 000011
【図１０】
2005286619.tif 000012
【図１１】
2005286619.tif 000013
【図１２】
2005286619.tif 000014
【図１３】
2005286619.tif 000015
【図１４】
2005286619.tif 000016
【図１５】
2005286619.tif 000017
【図１６】
2005286619.tif 000018
【図１７】
2005286619.tif 000019